(57)【要約】【課題】  本発明は、スーパーインポーズの有無等を基本サービスと付加サービスで変更しサービスを付加することができるコンテンツサービス方法及びその送信装置と受信装置を提供することを目的とする。【解決手段】  基本のコンテンツの視聴形態は維持しながら、付加価値を加えた視聴形態を提供するコンテンツサービスの受信装置であって、送信装置から送信された基本サービスのコンテンツと付加サービスのコンテンツそれぞれを構成する信号を受信する手段と、自装置に設定されたコンテンツ利用条件が基本サービスの場合、受信した基本サービスのコンテンツを出力し、自装置に設定されたコンテンツ利用条件が付加サービスの場合、受信した付加サービスのコンテンツを出力する手段を有する。【選択図】        図１
2006050485.tif 000002
【特許請求の範囲】
【請求項１】
基本のコンテンツの視聴形態は維持しながら、付加価値を加えた視聴形態を提供するコンテンツサービスの受信装置であって、
送信装置から送信された基本サービスのコンテンツと付加サービスのコンテンツそれぞれを構成する信号を受信する手段と、
自装置に設定されたコンテンツ利用条件が基本サービスの場合、受信した基本サービスのコンテンツを出力し、自装置に設定されたコンテンツ利用条件が付加サービスの場合、受信した付加サービスのコンテンツを出力する手段を有することを特徴とする受信装置。
【請求項２】
請求項１記載の受信装置において、
前記基本サービスのコンテンツは、スーパーインポーズを行ったベースバンド信号の符号化信号で構成され、
前記付加サービスのコンテンツは、スーパーインポーズを除去したベースバンド信号の符号化信号で構成されることを特徴とする受信装置。
【請求項３】
請求項１記載の受信装置において、
前記基本サービスのコンテンツは、スーパーインポーズを行ったベースバンド信号の符号化信号で構成され、
前記付加サービスのコンテンツは、前記スーパーインポーズを行ったベースバンド信号の符号化信号と前記スーパーインポーズを除去するベースバンド信号の符号化信号で構成されることを特徴とする受信装置。
【請求項４】
基本のコンテンツの視聴形態は維持しながら、付加価値を加えた視聴形態を提供するコンテンツサービス方法の送信装置であって、
基本サービスのコンテンツを構成する信号を生成する手段と、
付加サービスのコンテンツを構成する信号を生成する手段と、
前記基本サービスのコンテンツを構成する信号と前記付加サービスのコンテンツを構成する信号を多重して送信する手段を有することを特徴とする送信装置。
【請求項５】
基本のコンテンツの視聴形態は維持しながら、付加価値を加えた視聴形態を提供するコンテンツサービス方法であって、
送信装置から、基本サービスのコンテンツと付加サービスのコンテンツそれぞれを構成する信号を送信し、
受信装置では、自装置に設定されたコンテンツ利用条件が基本サービスの場合、受信した基本サービスのコンテンツを出力し、自装置に設定されたコンテンツ利用条件が付加サービスの場合、受信した付加サービスのコンテンツを出力することを特徴とするコンテンツサービス方法。
【発明の詳細な説明】
【技術分野】
【０００１】
本発明は、コンテンツサービス方法及びその送信装置と受信装置に関し、特に、コンテンツを配信するサービスで基本のコンテンツの視聴形態は維持しながら、付加価値を加えた視聴形態のコンテンツを提供するコンテンツサービス方法及びその送信装置と受信装置に関する。
【背景技術】
【０００２】
基本サービスのコンテンツに対して付加サービスのコンテンツを配信する方法として、例えば、非特許文献１に記載の字幕・文字スーパーの符号化方式がある。この方式では、スーパーインポーズのない映像を基本サービス、スーパーインポーズ付きの映像を付加サービスとし、基本サービスは簡単な構成のデコーダで映像を得ることができ、付加サービスは付加機能を持つデコーダで映像を得ることができる構成である。
【０００３】
また、特許文献１には、非特許文献１のものと同様に、映像信号と文字コードを送信し、受信装置で映像信号と文字コードから発生した文字パターンとを加算することで、字幕がスーパーインポーズされた映像と字幕のない映像とを受信装置側で選択可能とすることが記載されている。
【０００４】
更に、特許文献２には、テレビ番組の記録時に入ってきたニュース速報音を検出し、ニュース速報音の反転信号を記録することによりニュース速報音を消去するビデオテープレコーダが記載されている。
【非特許文献１】ＡＲＩＢ  ＳＴＤ−Ｂ２４「デジタル放送におけるデータ放送符号化方式と伝送方式」第一編第３部「字幕・文字スーパーの符号化」
【特許文献１】特開平６−５４２７３号公報
【特許文献２】実用新案登録第３０９５２０５号公報
【発明の開示】
【発明が解決しようとする課題】
【０００５】
非特許文献１に記載のように、デジタル放送においては、字幕を受信装置でスーパーインポーズする規格がある。これを利用すれば、リアルタイム視聴の状況においては、時報やニュース速報のスーパーインポーズを行って視聴し、録画再生など非リアルタイム視聴の状況においては、不要な時報やニュース速報のスーパーインポーズを消去して視聴する等、選択的にスーパーインポーズを行うことができる。
【０００６】
図４は、従来のスーパーインポーズを行うデジタル放送システムの一例のブロック図を示す。同図中、送信装置１１０において、符号化部１１３は、入力映像・音声を例えばＭＰＥＧ−２等の符号化方式で符号化し多重部１１５に供給する。また、ＰＭＴ生成部１１４において、映像・音声用の符号化信号を伝送するＴＳパケットのパケットＩＤを指定するＰＭＴ（Ｐｒｏｇｒａｍ  Ｍａｐ  Ｔａｂｌｅ）を生成し多重部１１５に供給する。
【０００７】
一方、符号化部１１１は時刻やニュース速報の字幕パターンを供給され、例えば非特許文献１に記載の字幕・文字スーパーの符号化方式を用いて符号化して多重部１１５に供給する。また、ＰＭＴ生成部１１２において、字幕用の符号化信号を伝送するＴＳパケットのパケットＩＤを指定するＰＭＴを生成し多重部１１５に供給する。
【０００８】
ＰＡＴ生成部１１６は、ＰＭＴを伝送するＴＳパケットのパケットＩＤを指定するＰＡＴ（Ｐｒｏｇｒａｍ  Ａｓｓｏｃｉａｔｉｏｎ  Ｔａｂｌｅ）を生成し多重部１１５に供給する。多重部１１５は、映像・音声用の多重信号を生成すると共に、字幕用の多重信号を生成し、これらの多重信号を多重して送信する。なお、主サービスのコンテンツは符号化部１１３，ＰＭＴ生成部１１４の出力信号で構成され、オプションのコンテンツは符号化部１１１，１１３，ＰＭＴ生成部１１２の出力信号で構成されている。
【０００９】
受信装置２０では、多重分離部１２１において、受信した多重信号から映像・音声用の多重信号と字幕用の多重信号を分離する。多重分離部１２１は、ＰＡＴ／ＰＭＴ解釈及びサービス制御部１２２からの指示に従って、映像・音声用の符号化信号を復号部１２３及び図示しない記録再生機に供給し、字幕用の符号化信号を復号部１２４に供給し、映像・音声用及び字幕用のＰＭＴをＰＡＴ／ＰＭＴ解釈及びサービス制御部１２２に供給する。
【００１０】
復号部１２３は映像・音声用の符号化信号から映像・音声を復号してスーパーインポーズ部１２５に供給し、復号部１２４は字幕用の符号化信号から字幕パターンを復号してスーパーインポーズ部１２５に供給する。スーパーインポーズ部１２５は映像・音声用の映像・音声に字幕パターンを加算し、スーパーインポーズを行った映像・音声が提示部１２６にて提示される。
【００１１】
また、記録再生機から再生された映像・音声用の符号化信号は復号部１２３で映像・音声に復号され、スーパーインポーズ部１２５を通し提示部１２６にて提示される。
【００１２】
このように、受信装置で字幕をスーパーインポーズする機能はオプションであり、このオプション機能を持つ受信装置は、映像の復号を行う復号部１２３の他に、字幕の復号を行う復号部１２４と、スーパーインポーズ部１２５が必要となる。
【００１３】
しかるに、一般の受信装置には上記の復号部１２４やスーパーインポーズ部１２５が備えられている保証がないため、選択的スーパーインポーズを実際に運用することができず、アナログ時代と同様に放送局で映像に字幕をスーパーインポーズし、字幕付きの映像を放送せざるを得ない。
【００１４】
このため、記録再生を行う場合に時報やニュース速報のスーパーインポーズを除去しようとした場合、即ち、基本サービスがスーパーインポーズ付きの映像で、付加サービスがスーパーインポーズのないクリーンな映像とする場合には、非特許文献１や特許文献１の技術では対応できないという問題があった。
【００１５】
本発明は、上記の点に鑑みなされたもので、スーパーインポーズの有無等を基本サービスと付加サービスで変更しサービスを付加することができるコンテンツサービス方法及びその送信装置と受信装置を提供することを目的とする。
【課題を解決するための手段】
【００１６】
請求項１に記載の発明は、基本のコンテンツの視聴形態は維持しながら、付加価値を加えた視聴形態を提供するコンテンツサービスの受信装置であって、
送信装置から送信された基本サービスのコンテンツと付加サービスのコンテンツそれぞれを構成する信号を受信する手段と、
自装置に設定されたコンテンツ利用条件が基本サービスの場合、受信した基本サービスのコンテンツを出力し、自装置に設定されたコンテンツ利用条件が付加サービスの場合、受信した付加サービスのコンテンツを出力する手段を有することにより、スーパーインポーズの有無等を基本サービスと付加サービスで変更しサービスを付加することができる。
【００１７】
請求項２に記載の発明は、請求項１記載の受信装置において、
前記基本サービスのコンテンツは、スーパーインポーズを行ったベースバンド信号の符号化信号で構成され、
前記付加サービスのコンテンツは、スーパーインポーズを除去したベースバンド信号の符号化信号で構成されることにより、スーパーインポーズの有無を基本サービスと付加サービスで変更することができる。
【００１８】
請求項３に記載の発明は、請求項１記載の受信装置において、
前記基本サービスのコンテンツは、スーパーインポーズを行ったベースバンド信号の符号化信号で構成され、
前記付加サービスのコンテンツは、前記スーパーインポーズを行ったベースバンド信号の符号化信号と前記スーパーインポーズを除去するベースバンド信号の符号化信号で構成されることにより、付加サービスを行うための信号の増加が小さくて済み、効率的に付加サービスを行うことができる。
【００１９】
請求項４に記載の発明は、基本のコンテンツの視聴形態は維持しながら、付加価値を加えた視聴形態を提供するコンテンツサービス方法の送信装置であって、
基本サービスのコンテンツを構成する信号を生成する手段と、
付加サービスのコンテンツを構成する信号を生成する手段と、
前記基本サービスのコンテンツを構成する信号と前記付加サービスのコンテンツを構成する信号を多重して送信する手段を有することにより、基本サービスのコンテンツと付加サービスのコンテンツそれぞれを構成する信号を送信できる。
【００２０】
請求項５に記載の発明は、基本のコンテンツの視聴形態は維持しながら、付加価値を加えた視聴形態を提供するコンテンツサービス方法であって、送信装置から、基本サービスのコンテンツと付加サービスのコンテンツそれぞれを構成する信号を送信し、受信装置では、自装置に設定されたコンテンツ利用条件が基本サービスの場合、受信した基本サービスのコンテンツを出力し、自装置に設定されたコンテンツ利用条件が付加サービスの場合、受信した付加サービスのコンテンツを出力することにより、スーパーインポーズの有無等を基本サービスと付加サービスで変更しサービスを付加することができる。
【発明の効果】
【００２１】
本発明によれば、スーパーインポーズの有無等を基本サービスと付加サービスで変更しサービスを付加することができる。
【発明を実施するための最良の形態】
【００２２】
以下、図面を参照して本発明の実施形態について説明する。
【００２３】
本発明では、放送局の送信装置から基本サービスとして従来と同様に予めスーパーインポーズを行った映像を送出するのに加えて、スーパーインポーズを除去した映像もしくはスーパーインポーズを除去する映像を付加サービスとして送出する。ここで、スーパーインポーズを除去した映像とは、スーパーインポーズを行う前の映像であり、スーパーインポーズを除去する映像とは、スーパーインポーズを行った映像とスーパーインポーズを行う前の映像との差分の映像や、スーパーインポーズが行われている部分とその近傍のスーパーインポーズを行う前のクリーンな映像、などである。付加サービス対応機能のない従来の受信装置では、従来通り送信装置でスーパーインポーズした映像、すなわち基本サービスを視聴することができる。これに対して、付加サービス対応機能を持つ受信装置ではスーパーインポーズの行われていない映像、すなわち付加サービスの画像を視聴することができる。
【００２４】
図１は、本発明のコンテンツサービス方法を適用したデジタル放送システムの第１実施形態のブロック図を示す。同図中、送信装置１０では、スーパーインポーズ部１１で入力される映像・音声に時刻やニュース速報の字幕パターンを加算してスーパーインポーズを行って符号化部１２に供給する。符号化部１２では、スーパーインポーズのなされた映像・音声（ベースバンド信号）を例えばＭＰＥＧ−２等の符号化方式で符号化し多重部１６に供給する。また、ＰＭＴ生成部１３において、スーパーインポーズ用の符号化信号を伝送するＴＳパケットのパケットＩＤを指定するＰＭＴを生成し多重部１６に供給する。
【００２５】
一方、符号化部１４でスーパーインポーズがされていない入力映像・音声（ベースバンド信号）を例えばＭＰＥＧ−２等の符号化方式で符号化し多重部１６に供給する。また、ＰＭＴ生成部１５において、非スーパーインポーズ用の符号化信号を伝送するＴＳパケットのパケットＩＤを指定するＰＭＴを生成し多重部１６に供給する。
【００２６】
ＰＡＴ生成部１７は、ＰＭＴを伝送するＴＳパケットのパケットＩＤを指定するＰＡＴを生成し多重部１６に供給する。多重部１６は、スーパーインポーズ用の多重信号を生成すると共に、非スーパーインポーズ用の多重信号を生成し、これらの多重信号を多重して送信する。なお、基本サービスのコンテンツは符号化部１２，ＰＭＴ生成部１３の出力信号で構成され、付加サービスのコンテンツは符号化部１４，ＰＭＴ生成部１５の出力信号で構成されている。
【００２７】
付加サービス対応の受信装置２０では、多重分離部２１において、受信した多重信号からスーパーインポーズ用の多重信号と非スーパーインポーズ用の多重信号を分離する。多重分離部２１は、ＰＡＴ／ＰＭＴ解釈及びサービス制御部２２からの選択指示に従って、スーパーインポーズ用の映像・音声の符号化信号を復号部２３に供給し、スーパーインポーズ用のまたは非スーパーインポーズ用の映像・音声の符号化信号を図示しない記録再生装置に供給し、スーパーインポーズ及び非スーパーインポーズのＰＭＴをＰＡＴ／ＰＭＴ解釈及びサービス制御部２２に供給する。
【００２８】
なお、ＰＡＴ／ＰＭＴ解釈及びサービス制御部２２には例えばコンテンツ利用条件としての契約情報を記憶したカード等がセットされており、ＰＡＴ／ＰＭＴ解釈及びサービス制御部２２はＰＡＴ／ＰＭＴ解釈による多重信号の番組構成と、契約に応じて自動的に基本サービス／付加サービスの選択指示を行う。これにより、付加サービスの契約がなされていれば非スーパーインポーズ用の映像・音声の符号化信号が記録再生装置に供給され、付加サービスの契約がなされていなければスーパーインポーズ用の映像・音声の符号化信号が記録再生装置に供給される。
【００２９】
スーパーインポーズ用の映像・音声の符号化信号は、復号部２３において復号され、提示部２５で映像・音声として提示される。リアルタイムで視聴する場合のコンテンツは、時報やニュース速報のスーパーインポーズのなされた基本サービスのコンテンツとなる。
【００３０】
付加サービスの契約がある場合、付加サービスの時報やニュース速報のスーパーインポーズがなされていない非スーパーインポーズ用の映像・音声の符号化信号は、多重分離部２１から記録用として図示しない記録再生装置に供給される。また、記録再生装置で再生された時報やニュース速報のスーパーインポーズがなされていない映像・音声の符号化信号は、復号部２３に供給されて復号され、提示部２４において提示される。
【００３１】
従って、再生により視聴する場合のコンテンツは、時報やニュース速報のスーパーインポーズがなされていないクリーンなコンテンツとなる。なお、スクランブルを施すなどして、付加サービスを有料契約など別契約が必要なプレミアムサービスとする構成としても良い。
【００３２】
受信装置３０は、オプション機能を持たない基本サービス対応の一般的な受信装置であり、多重分離部３１において、受信した多重信号からスーパーインポーズ用の多重信号と非スーパーインポーズ用の多重信号を分離する。多重分離部３１は、ＰＡＴ／ＰＭＴ解釈及びサービス制御部３２からの選択指示に従って、スーパーインポーズ用の映像・音声の符号化信号を復号部３３に供給し、スーパーインポーズ用のＰＭＴをＰＡＴ／ＰＭＴ解釈及びサービス制御部３２に供給する。
【００３３】
ＰＡＴ／ＰＭＴ解釈及びサービス制御部３２はＰＡＴ／ＰＭＴ解釈による多重信号の番組構成に応じて基本サービスの選択指示を行う。基本サービスの映像・音声の符号化信号は、復号部３３において復号され、提示部３４で映像・音声として提示される。
【００３４】
図２は、本発明のコンテンツサービス方法を適用したデジタル放送システムの第２実施形態のブロック図を示す。この実施形態では、スーパーインポーズを除去する映像・音声としては、スーパーインポーズが行われている部分とその近傍のスーパーインポーズを行う前のクリーンな映像・音声を用いる。
【００３５】
同図中、送信装置４０では、スーパーインポーズ部４１で入力される映像・音声に時刻やニュース速報の字幕パターンを加算してスーパーインポーズを行って符号化部４２に供給する。符号化部４２では、スーパーインポーズのなされた映像・音声（ベースバンド信号）を例えばＭＰＥＧ−２等の符号化方式で符号化し多重部４７に供給する。また、ＰＭＴ生成部４３において、スーパーインポーズ用の符号化信号を伝送するＴＳパケットのパケットＩＤを指定するＰＭＴを生成し多重部４７に供給する。
【００３６】
一方、スーパーインポーズ部分抽出部４４では入力されるスーパーインポーズを行う前のクリーンな映像・音声から、時刻やニュース速報の字幕パターンなどがスーパーインポーズされる対象部分のクリーンな映像・音声を抽出する。抽出した映像・音声（ベースバンド信号）は、抽出した映像の位置と範囲と共に部分符号化部４５で例えばＭＰＥＧ−２等の符号化方式で符号化し多重部４７に供給する。また、ＰＭＴ生成部４６において、非スーパーインポーズ用のＰＭＴを生成し多重部４７に供給する。
【００３７】
ＰＡＴ生成部４８は、ＰＭＴを伝送するＴＳパケットのパケットＩＤを指定するＰＡＴを生成し多重部４７に供給する。多重部４７は、スーパーインポーズ用の多重信号を生成すると共に、非スーパーインポーズ用の多重信号を生成し、これらの多重信号を多重して送信する。なお、基本サービスのコンテンツは符号化部４２，ＰＭＴ生成部４３の出力信号で構成され、付加サービスのコンテンツは符号化部４２，４５，ＰＭＴ生成部４６の出力信号で構成されている。
【００３８】
ところで、スーパーインポーズが行われていない時は、スーパーインポーズを除去するコンテンツは０または空（データ無し）、即ち、スーパーインポーズを除去するコンテンツは送らなくても良い。例えばスーパーインポーズを除去するコンテンツとして、スーパーインポーズを行った映像とスーパーインポーズを行う前の映像との差分の映像を送る場合には、その差分映像を送らずにスーパーインポーズが行われている領域を空として処理しても良い。こうすることによって、付加サービスを行うための伝送データ量を削減することができる。
【００３９】
付加サービス対応の受信装置５０では、多重分離部５１において、受信した多重信号からスーパーインポーズ用の多重信号と非スーパーインポーズ用の多重信号を分離する。多重分離部５１は、ＰＡＴ／ＰＭＴ解釈及びサービス制御部５２からの選択指示に従って、スーパーインポーズ用の映像・音声の符号化信号を復号部５３と図示しない記録再生装置に供給し、非スーパーインポーズ用の映像・音声の符号化信号を記録再生装置に供給し、スーパーインポーズ用及び非スーパーインポーズ用のＰＭＴをＰＡＴ／ＰＭＴ解釈及びサービス制御部５２に供給する。
【００４０】
なお、ＰＡＴ／ＰＭＴ解釈及びサービス制御部５２には例えば契約情報を記憶したカード等がセットされており、ＰＡＴ／ＰＭＴ解釈及びサービス制御部５２はＰＭＴ解釈による多重信号の番組構成と、契約に応じて自動的に選択指示を行う。これにより、付加サービスの契約がなされていればスーパーインポーズ用及び非スーパーインポーズ用の映像・音声の符号化信号が記録再生装置に供給され、付加サービスの契約がなされていなければスーパーインポーズ用の映像・音声の符号化信号だけが記録再生装置に供給される。
【００４１】
スーパーインポーズ用の映像・音声の符号化信号は、復号部５３において復号され、合成部５５を経て、提示部５６で映像・音声として提示される。リアルタイムで視聴する場合のコンテンツは、時報やニュース速報のスーパーインポーズのなされた基本サービスのコンテンツとなる。
【００４２】
付加サービスの契約がある場合、時報やニュース速報のスーパーインポーズ部分の映像・音声である非スーパーインポーズ用の部分映像・音声の符号化信号は、スーパーインポーズ用の映像・音声の符号化信号と共に多重分離部５１から記録用として図示しない記録再生装置に供給される。また、記録再生装置で再生された非スーパーインポーズ用の部分映像・音声の符号化信号は部分復号部５４に供給され復号され、スーパーインポーズ部分のクリーンな映像・音声と共に、その部分の位置と範囲のパラメータが得られる。また、記録再生装置で再生されたスーパーインポーズ用の映像・音声の符号化信号は復号部５３に供給され復号される。
【００４３】
合成部５５ではスーパーインポーズ用の映像・音声のうち、パラメータで位置と範囲が指示されたスーパーインポーズ部分を非スーパーインポーズ用のクリーンな映像・音声で置き換えられて合成され、スーパーインポーズ用の映像・音声が変更される。この変更された映像・音声が提示部５６において提示される。従って、再生により視聴する場合のコンテンツは、時報やニュース速報のスーパーインポーズがなされていないクリーンなコンテンツとなる。
【００４４】
なお、スクランブルを行うなどして、付加サービスを有料契約など別契約が必要なプレミアムサービスとする構成としても良い。なお、スーパーインポーズ用と非スーパーインポーズ用の映像・音声の符号化信号を記録再生装置に記録する代りに、スーパーインポーズ用と非スーパーインポーズ用の映像・音声を復号し合成した映像・音声を記録再生装置に記録する構成であっても良い。
【００４５】
受信装置３０は、オプション機能を持たない基本サービス対応の一般的な受信装置であり、多重分離部３１において、受信した多重信号からスーパーインポーズ用の多重信号と非スーパーインポーズ用の多重信号を分離する。多重分離部３１は、ＰＡＴ／ＰＭＴ解釈及びサービス制御部３２からの選択指示に従って、スーパーインポーズ用の映像・音声を復号部３３に供給し、スーパーインポーズ用のＰＭＴをＰＡＴ／ＰＭＴ解釈及びサービス制御部３２に供給する。
【００４６】
ＰＡＴ／ＰＭＴ解釈及びサービス制御部３２はＰＡＴ／ＰＭＴ解釈による多重信号の番組構成に応じて基本サービスの選択指示を行う。スーパーインポーズ用の映像・音声は、復号部３３において復号され、提示部３４で映像・音声として提示される。
【００４７】
図３に、時報とニュース速報がスーパーインポーズされた映像の一実施形態を示す。ここでは、時報とニュース速報に分けて領域設定を行う。時報の領域は画面左上を原点として位置（Ｘ１，Ｙ１）を始点とした、幅Ｗ１高さＨ１の矩形領域となり、ニュース速報の領域は位置（Ｘ２，Ｙ２）を始点とした、幅Ｗ２高さＨ２の矩形領域となる。そして、領域の数Ｎ、各領域の位置Ｘｎ，Ｙｎ、および、幅と高さＷｎ，Ｈｎ、各領域のクリーンな映像を符号化する。
【００４８】
なお、近接する複数のスーパーインポーズ領域を１つの領域にまとめたり、１つのスーパーインポーズ領域をさらに小さな領域に分割することなど、符号化上の都合で領域を設定して構わない。ここで、クリーンな映像の符号化方式及び符号化パラメータは、基本サービスの映像の符号化方式及び符号化パラメータと同じとすることが望ましい。従って、例えばＭＰＥＧ−２方式を用いる場合、Ｘｎ，Ｙｎ，Ｗｎ，Ｈｎは８の倍数とし、マクロブロックと整合を取ることが望ましい。ただし、基本サービスの映像と付加サービスの映像のマクロブロック境界の整合は気にしない選択もあり、この場合はＸｎ，Ｙｎは任意の値でよい。
【００４９】
この実施形態では、付加サービスを行うための信号の増加が小さくて済み、効率的に付加サービスを行うことができる。
【００５０】
第１，第２実施形態では、映像について説明したが、音声の場合も同様のことが可能である。ニュース速報では字幕のスーパーインポーズと共に警報音が出力される。このため、付加サービスのコンテンツで上記警報音を除去するようにする。例えば、映像では空間領域で符号化する領域を抽出したが、音声では周波数領域で符号化する領域抽出することができる。なお、音声については、映像に比べて符号化データ量が小さいので、全領域を符号化してもあまり問題はない。
【００５１】
また、基本サービス、付加サービスそれぞれにスクランブルを行う場合があって良い。例えば、基本サービスには著作権保護用のスクランブルを行い、付加サービスには有料放送用のスクランブルを行う。この場合、例えば基本サービスの映像・音声等の共通コンポーネントには共通の鍵でスクランブルを行う必要があるが、付加サービスの部分映像・音声等の独立コンポーネントには独立の鍵でスクランブルを行うことができる。
【００５２】
なお、第１，第２実施形態ではデジタル放送を例にして説明したが、デジタル放送に限らず、例えばインターネットを用いたコンテンツサービスにおいても適用することができ、上記実施形態に限定されるものではない。また、基本サービスのコンテンツは放送で伝送し、付加サービスのコンテンツはインターネットやサーバー型放送で伝送するというように、伝送路を異ならせても良い。また、符号化方式はＭＰＥＧ−２符号化方式に限定されることはなく、図１、図２において、ＰＭＴ生成部、ＰＡＴ生成部、ＰＡＴ／ＰＭＴ解釈及びサービス制御部それぞれは、この発明における必須の構成要素ではない。
【図面の簡単な説明】
【００５３】
【図１】本発明のコンテンツサービス方法を適用したデジタル放送システムの第１実施形態のブロック図である。
【図２】本発明のコンテンツサービス方法を適用したデジタル放送システムの第２実施形態のブロック図である。
【図３】時報とニュース速報がスーパーインポーズされた映像の一実施形態を示す図である。
【図４】従来のスーパーインポーズを行うデジタル放送システムの一例のブロック図である。
【符号の説明】
【００５４】
１０，４０  送信装置
１１  スーパーインポーズ部
１２，１４  符号化部
１３，１５  ＰＭＴ生成部
１６，４７  多重部
１７，４８  ＰＡＴ生成部
２０，３０，５０  受信装置
２１，５１  多重分離部
２２，３２，５２  ＰＡＴ／ＰＭＴ解釈及びサービス制御部
２３，３１，５３  復号部
２４，３４，５６  提示部
５４  部分復号部
５５  合成部
【図１】
2006050485.tif 000003
【図２】
2006050485.tif 000004
【図３】
2006050485.tif 000005
【図４】
2006050485.tif 000006